(57)【要約】【課題】軸受け部へのイジェクトシャフトの取り付けを容易にする。【解決手段】ディスクトレイ１７の底面には、後側軸受け部８６、前側軸受け部８７が形成されている。後側軸受け部８６には、軸孔８６ｃが形成されている。前側軸受け部８７には、軸孔８６ｃに斜め状態で挿入されたイジェクトシャフト８２が挿入される切欠き８７ａが形成されている。ピックアップヘッド１８及びディスク駆動部１９を保持する保持板２１には、押え片９０が形成されている。押え片９０は、イジェクトシャフト８２が切欠き８７ａから抜け出るのを防止する。【選択図】図８
2010108535.tif 000002
【特許請求の範囲】
【請求項１】
ディスクトレイのロックが解除されたときに、コイルバネで付勢されたイジェクトシャフトを軸方向に移動して、ケース内に格納された格納位置から引出し位置に向けて前記ディスクトレイを押し出すトレイイジェクト装置において、
前記ディスクトレイの後端部に設けられ、前記イジェクトシャフトを軸孔で軸方向に移動自在に支持する第１の軸受け部と、
前記第１の軸受け部と対向配置され、前記イジェクトシャフトを前記第１の軸受け部に挿入した後に、前記イジェクトシャフトが斜め状態から挿入可能にする切欠きを有し、前記イジェクトシャフトを軸方向に移動自在に支持する第２の軸受け部と、
前記切欠きから前記イジェクトシャフトが抜け出ないようにする押え片と、を備えることを特徴とするトレイイジェクト装置。
【請求項２】
前記押え片は、前記第２の軸受け部の近傍に配されていることを特徴とする請求項１記載のトレイイジェクト装置。
【請求項３】
前記押え片は、前記イジェクトシャフトと非接触に配置され、前記イジェクトシャフトが前記切欠きから抜け出ようとする際に前記イジェクトシャフトを受け止めることを特徴とする請求項１または２記載のトレイイジェクト装置。
【請求項４】
ディスクが装填され、ケースから引き出された引出し位置と、前記ケース内部に格納された格納位置との間で移動するディスクトレイと、
前記ディスクにデータを記録／再生するディスク記録／再生部と、
前記ディスクトレイに取り付けられ、前記ディスク記録／再生部を保持する保持板と、
前記ディスクトレイを前記格納位置でロックするロック機構と、
コイルバネと、前記コイルバネに挿通されるとともに前記ディスクトレイに移動自在に設けられ、前記ディスクトレイが前記格納位置に移動したときに前記コイルバネを蓄勢させるイジェクトシャフトとを有し、前記ロック機構によるロックが解除されたときに、前記蓄勢されたコイルバネの付勢により前記イジェクトシャフトを軸方向に移動して、前記ディスクトレイを前記引出し位置に向けて押し出すトレイイジェクト機構と、
前記ディスクトレイの後端部に設けられ、前記イジェクトシャフトを軸孔で軸方向に移動自在に支持する第１の軸受け部と、
前記第１の軸受け部と対向配置され、前記イジェクトシャフトを前記第１の軸受け部に挿入した後に、前記イジェクトシャフトが斜め状態から挿入可能にする切欠きを有し、前記イジェクトシャフトを軸方向に移動自在に支持する第２の軸受け部と、
前記保持板に設けられ、前記切欠きから前記イジェクトシャフトが抜け出ないようにする押え片と、を備えることを特徴とするディスク装置。
【発明の詳細な説明】
【技術分野】
【０００１】
本発明は、引出し位置に向けてディスクトレイを押し出すトレイイジェクト装置及びディスク装置に関するものである。
【背景技術】
【０００２】
ディスク装置は、ターンテーブルに装着されたディスクを回転させながら、ピックアップヘッドを移動して、ディスクにデータを高密度で記録したり、あるいはディスクのデータを読み出して再生する。このディスク装置は、電子機器、例えばパソコン本体等に内蔵されたり、あるいは外付けされて用いられる。ディスク装置は、ディスクが載せられるディスクトレイを有し、このディスクトレイはケース内部に格納される格納位置と、ケースから引き出された引出し位置との間で移動する。
【０００３】
ディスク装置には、ディスクトレイを格納位置でロックするロック機構と、ロック機構によるロックが解除されたディスクトレイを引出し位置に向けてイジェクトするイジェクト機構とが設けられている。特許文献１では、コイルバネと、トレイ押出部材とからなるイジェクト機構が設けられている。コイルバネ及びトレイ押出部材は、ディスクトレイをスライド自在に支持するレール内に設けられている。ディスクトレイを格納位置に移動すると、コイルバネが圧縮される。ロック機構によるロックが解除されると、圧縮されたコイルバネが伸長し、このコイルバネによってトレイ押出部材がディスクトレイを引出し位置に向けて押し出す。
【０００４】
しかしながら、特許文献１では、コイルバネ及びトレイ押出部材をレール内に設けているため、レールのサイズが大きくなる。そこで、特許文献２では、ディスクトレイに移動自在に設けられたイジェクトシャフトと、このイジェクトシャフトに挿通され、これに移動力を与えるコイルバネとからなるイジェクト機構を設け、レールサイズを小型化している。ディスクトレイには、イジェクトシャフトを移動自在に支持する後側軸受け部及び前側軸受け部が設けられている。イジェクトシャフトには、前側軸受け部との間にコイルバネを挟み込むバネ受け片が形成されている。特許文献２でも、コイルバネの伸長によりイジェクトシャフトが移動され、ディスクトレイを引出し位置に向けて押し出す。
【特許文献１】特開平０９−１８０４２１号公報
【特許文献２】特開２００７−１５７２６１号公報
【発明の開示】
【発明が解決しようとする課題】
【０００５】
特許文献２では、２つの軸受け部には、円形をした軸孔が形成されているから、イジェクトシャフト及びコイルバネを取り付けるときには、イジェクトシャフトにコイルバネを挿通させてから、イジェクトシャフトの前端を前側軸受け部に挿通する。そして、コイルバネを圧縮させながらイジェクトシャフトを軸方向前方に移動させ、イジェクトシャフトの後端を後側軸受け部に挿通するが、この際にコイルバネを圧縮させながら作業を行う必要があるため、作業性が悪いという問題があった。
【０００６】
本発明は、上記課題を解決するためになされたものであり、軸受け部へのイジェクトシャフトの取り付けが容易なトレイイジェクト装置及びディスク装置を提供することを目的とする。
【課題を解決するための手段】
【０００７】
上記目的を達成するために、本発明のトレイイジェクト装置は、ディスクトレイのロックが解除されたときに、コイルバネで付勢されたイジェクトシャフトを軸方向に移動して、ケース内に格納された格納位置から引出し位置に向けて前記ディスクトレイを押し出すトレイイジェクト装置において、前記ディスクトレイの後端部に設けられ、前記イジェクトシャフトを軸孔で軸方向に移動自在に支持する第１の軸受け部と、前記第１の軸受け部と対向配置され、前記イジェクトシャフトを前記第１の軸受け部に挿入した後に、前記イジェクトシャフトが斜め状態から挿入可能にする切欠きを有し、前記イジェクトシャフトを軸方向に移動自在に支持する第２の軸受け部と、前記切欠きから前記イジェクトシャフトが抜け出ないようにする押え片と、を備えることを特徴とする。
【０００８】
また、前記押え片は、前記第２の軸受け部の近傍に配されていることが好ましい。
【０００９】
さらに、前記押え片は、前記イジェクトシャフトと非接触に配置され、前記イジェクトシャフトが前記切欠きから抜け出ようとする際に前記イジェクトシャフトを受け止めることが好ましい。
【００１０】
また、本発明のディスク装置は、ディスクが装填され、ケースから引き出された引出し位置と、前記ケース内部に格納された格納位置との間で移動するディスクトレイと、前記ディスクにデータを記録／再生するディスク記録／再生部と、前記ディスクトレイに取り付けられ、前記ディスク記録／再生部を保持する保持板と、前記ディスクトレイを前記格納位置でロックするロック機構と、コイルバネと、前記コイルバネに挿通されるとともに前記ディスクトレイに移動自在に設けられ、前記ディスクトレイが前記格納位置に移動したときに前記コイルバネを蓄勢させるイジェクトシャフトとを有し、前記ロック機構によるロックが解除されたときに、前記蓄勢されたコイルバネの付勢により前記イジェクトシャフトを軸方向に移動して、前記ディスクトレイを前記引出し位置に向けて押し出すトレイイジェクト機構と、前記ディスクトレイの後端部に設けられ、前記イジェクトシャフトを軸孔で軸方向に移動自在に支持する第１の軸受け部と、前記第１の軸受け部と対向配置され、前記イジェクトシャフトを前記第１の軸受け部に挿入した後に、前記イジェクトシャフトが斜め状態から挿入可能にする切欠きを有し、前記イジェクトシャフトを軸方向に移動自在に支持する第２の軸受け部と、前記保持板に設けられ、前記切欠きから前記イジェクトシャフトが抜け出ないようにする押え片と、を備えることを特徴とする。
【発明の効果】
【００１１】
本発明によれば、２つの軸受け部の一方には軸孔を形成し、他方には切欠きを形成したから、イジェクトシャフトにコイルバネを取り付けた状態で、２つの軸受け部に嵌め込むことができるので、組立てが容易となる。
【００１２】
また、切欠きを有する軸受け部の上または横に、押え片を設けたから、イジェクトシャフトが入り易いように切欠きのサイズを大きくした場合でも、イジェクトシャフトが切欠きから抜け出ることはない。
【００１３】
さらに、押え片はイジェクトシャフトに非接触であるため、イジェクトシャフトが軸方向に移動するときに、摩擦による負荷を与えることがない。
【発明を実施するための最良の形態】
【００１４】
図１において、ノート型パソコン３は、ディスク装置２がパソコン本体３ａに組み込まれている。ディスク装置２は、ディスク４が装着されるトレイユニット５と、トレイユニット５を出し入れ可能にするケース９（図４参照）とを備える。トレイユニット５の前面には、イジェクトボタン６ａを有するフロントベゼル６が取り付けられている。ケース９は、ケース本体７及び上カバー８（図４参照）から構成されている。
【００１５】
図２に示すように、ケース本体７の両側には、左スライドレール１１と右スライドレール１２とが、スライド自在に取り付けられている。トレイユニット５は、各スライドレール１１，１２に対して移動自在に支持されており、ケース９内部に格納される格納位置（図４参照）と、ケース９から引き出された引出し位置（図２参照）との間で移動する。
【００１６】
図２及び図３に示すように、トレイユニット５は、ディスク４が載せられるディスクトレイ１７と、ピックアップヘッド１８と、ディスク４を保持して回転するディスク駆動部１９と、ベース板２０と、保持板２１とを備える。ピックアップヘッド１８は、ディスク４の半径方向に移動自在に、ベース板２０に取り付けられている。ベース板２０には、その上面を覆うように薄いカバープレート２２が、ネジ２３ａ，２３ｂにより固定されている。このカバープレート２２には、ディスク４の半径方向に延びた開口２４が形成されている。ピックアップヘッド１８は、この開口２４を通してディスク４にアクセスし、回転中のディスク４にデータを記録／再生する。本実施形態では、ディスク記録／再生部は、ピックアップヘッド１８とディスク駆動部１９とから構成される。
【００１７】
ディスク駆動部１９は、ディスク４を回転させるスピンドルモータ２６を備えており、このスピンドルモータ２６は、ベース板２０に取り付けられている。スピンドルモータ２６の駆動軸には、ターンテーブル２７が固定されている。このターンテーブル２７には、チャッキングヘッド２８が一体に形成されている。ディスク４をディスクトレイ１７に載せてから押し込むと、ディスク４のディスク孔４ａ（図１参照）がチャッキングヘッド２８に嵌合され、ディスク４がターンテーブル２７上に保持される。チャッキングヘッド２８には、バネで付勢された複数のチャッキング爪２８ａが設けられている。このチャッキング爪２８ａにより、ディスク４は着脱可能に係止される。
【００１８】
ディスクトレイ１７には、ピックアップヘッド１８及びスピンドルモータ２６の駆動を制御する駆動制御基板（図示せず）が設けられており、この駆動制御基板は、フレキシブル基板２９により制御基板３０に接続されている。
【００１９】
保持板２１は、薄い金属板を板金加工することで作製される。保持板２１には、３本のネジ３２ａ〜３２ｃがそれぞれ挿通されるネジ挿通孔３１ａ〜３１ｃが形成されている。ディスクトレイ１７には、３本のネジ３２ａ〜３２ｃがそれぞれ螺合するネジ孔３３ａ〜３３ｃが形成された固定ボス３４ａ〜３４ｃが設けられている。保持板２１は、ベース板２０を保持した状態で、ネジ３２ａ〜３２ｃにより、ディスクトレイ１７に固定される。
【００２０】
ベース板２０には、振動や衝撃を吸収する弾性体として作用する柔軟なゴム製のダンパー３６が３箇所に設けられている。各ダンパー３６の上面をディスクトレイ１７の底面に当て、各ダンパー３６の下面を保持板２１に軽く接触させた状態で組み付けることによって、ピックアップヘッド１８及びディスク駆動部１９は、ディスクトレイ１７と保持板２１との間に弾性的に挟持される。
【００２１】
図４に示すように、ケース９は、ディスク４及びトレイユニット５を出し入れ自在に格納するケース本体７と、このケース本体７の上面を覆う上カバー８とから構成されている。ケース本体７には、４本のネジ３９ａ〜３９ｄがそれぞれ螺合するネジ孔３７ａ〜３７ｄが形成されている。上カバー８は、ネジ３９ａ〜３９ｄとネジ孔３７ａ〜３７ｄとにより、ケース本体７に固定される。なお、符号３８ａ〜３８ｄは、ネジ３９ａ〜３９ｄを通すためのネジ孔である。
【００２２】
図５及び図６に示すように、ディスク装置２には、トレイユニット５を格納位置でロックするロック機構４１と、このロック機構４１によるロックを解除するロック解除機構４２と、トレイユニット５を引出し位置に向けて押し出すトレイイジェクト機構４３とが設けられている。
【００２３】
ロック機構４１は、ロック板５１と、ねじりバネ５２と、ロックピン５３とから構成されている。ロック板５１は、一端にロック部５１ａが、他端に当接部５１ｂが形成され、取付孔５１ｃに嵌合するリング状のカラー５７を中心にして回転する。ロックピン５３は、ケース本体７に設けられ、ロック部５１ａによって係止可能になっている。ディスクトレイ１７の底面には、ネジ５４が螺合するネジ孔５５が形成された取付ボス５６が設けられており、カラー５７を介してロック板５１が回転自在に取り付けられる。ロック板５１は、ロック部５１ａがロックピン５３に係合するロック位置（図５参照）と、ロック部５１ａがロックピン５３から離れてロックを解除するロック解除位置（図１０参照）との間で回転する。ねじりバネ５２は、ロック板５１をロック位置に向けてＡ方向に付勢する。なお、図５においては、図面の乱雑を避けるため、カラー５７の図示を省略している。
【００２４】
ロック解除機構４２は、移動板６１と、電磁プランジャ６２と、コイルバネ６３とから構成されている。ディスクトレイ１７の底面には、移動板６１を移動自在に支持する支持リブ６５ａ，６５ｂと、電磁プランジャ６２が載せられる受け部６６と、コイルバネ６３の一端が掛けられるバネ掛け部６７とが設けられている。受け部６６には、電磁プランジャ６２を位置決めする位置決めボス６８が２本設けられている。
【００２５】
移動板６１は、支持孔６１ａと、支持凸部６１ｂとが形成されている。支持孔６１ａには支持リブ６５ａが挿入され、支持凸部６１ｂは支持リブ６５ｂに支持され、移動板６１は移動自在となる。移動板６１は、常に当接部５１ｂに当接しており、ロック板５１をロック位置に位置させるロック可能位置（図５及び図９参照）と、当接部５１ｂを押圧してロック板５１をロック解除位置に回転させるロック不能位置（図１０参照）との間で移動する。また、移動板６１には、電磁プランジャ６２に係合する係合ボス６１ｃと、２個の保持フック部６１ｄと、バネ掛け部６１ｅとが形成されている。２個の保持フック部６１ｄは、電磁プランジャ６２を保持する。バネ掛け部６１ｅには、コイルバネ６３の他端が掛けられる。
【００２６】
電磁プランジャ６２は、コイル部７１と、プランジャ本体７２と、可動鉄芯７３とから構成されている。プランジャ本体７２は、永久磁石で作られており、一対の取付孔７４を位置決めボス６８に嵌合することで、ディスクトレイ１７上に取り付けられる。
【００２７】
プランジャ本体７２の前側にはコイル部７１が取り付けられている。このコイル部７１は、樹脂製の２個のボビンと、その外周に巻き付けたコイルとから構成されている。ボビン内には、可動鉄芯７３に設けた２個の吸着軸７３ｂが移動可能に挿入されている。この可動鉄芯７３は、その開口７３ａを移動板６１の係合ボス６１ｃに挿入することで、移動板６１に取り付けられる。
【００２８】
コイル部７１のコイルは、駆動制御基板によって電流が供給される。ロックピン５３のロックを解除するときには、コイルに電流が供給され、プランジャ本体７２の磁力を弱める方向の磁界を発生する。プランジャ本体７２の吸着力が弱まるから、コイルバネ６３によって可動鉄芯７３が移動板６１とともにプランジャ本体７２から離れ、ロック板５１をロック解除位置へ回転させる。
【００２９】
ディスクトレイ１７には、軸部７６ｃを中心にして、連動板７６が回転自在に設けられている。この連動板７６は、一端に当接部７６ａが、他端に押圧部７６ｂが形成され、また、コイルバネ７７の一端が掛けられるバネ掛け部７６ｄが設けられている。連動板７６は、トレイユニット５が格納位置に移動するときにロックピン５３で押され、移動板６１から離れた基準位置（図５参照）から、押圧部７６ｂが移動板６１に当接して移動板６１をロック可能位置に移動させる押圧位置（図９参照）へ回転する。コイルバネ７７は、他端がディスクトレイ１７に設けられたバネ掛け部７８に掛けられており、連動板７６を基準位置に向けて付勢する。
【００３０】
可動鉄芯７３は、連動板７６の回転により移動板６１がロック可能位置まで移動すると、プランジャ本体７２に向かって移動し、吸着軸７３ｂの端がプランジャ本体７２で吸着保持される。
【００３１】
トレイイジェクト機構４３は、コイルバネ８１とイジェクトシャフト８２とから構成されている。イジェクトシャフト８２は、コイルバネ８１に挿通され、バネ受け片８３でコイルバネ８１の後端が受け止められている。
【００３２】
図６及び図７に示すように、ディスクトレイ１７の底面には、後側軸受け部８６と、前側軸受け部８７と、バネ収納凹部８８とが形成されている。後側軸受け部８６には、イジェクトシャフト８２を挟み込んで支持する第１支持部８６ａ及び第２支持部８６ｂが形成されている。第１支持部８６ａ及び第２支持部８６ｂにより形成された軸孔８６ｃには、イジェクトシャフト８２が挿入される。この軸孔８６ｃは、四角形をしており、イジェクトシャフト８２の直径よりも大きい。なお、第２支持部８６ｂは、第１支持部８６ａよりも後側に形成されている。
【００３３】
前側軸受け部８７には、イジェクトシャフト８２の前端部８２ｂが挿入される切欠き８７ａが形成されている。この切欠き８７ａは、下方向（図６及び図７における上方向）に開口した略Ｃ字状をしており、その開口端の幅がイジェクトシャフト８２の直径よりも小さい。バネ収納凹部８８には、コイルバネ８１の一部が入り込む。
【００３４】
図７及び図８に示すように、保持板２１には、折り曲げ加工された押え片９０が形成されている。この押え片９０は、前側軸受け部８７の前方に配され、イジェクトシャフト８２の移動方向に延びている。押え片９０は、イジェクトシャフト８２の前端部８２ｂの下方（図７及び図８における上方）であって、前端部８２ｂと僅かな隙間を保って配置されている。
【００３５】
イジェクトシャフト８２を取り付ける場合は、図７（Ａ）に示すように、先ず、イジェクトシャフト８２にコイルバネ８１を挿通する。次に、イジェクトシャフト８２の後端部８２ａを、斜め方向から後側軸受け部８６の軸孔８６ｃに挿入する。そして、図７（Ｂ）に示すように、コイルバネ８１がバネ受け片８３と前側軸受け部８７との間に挟持されるように、イジェクトシャフト８２の前端部８２ｂを上から切欠き８７ａに挿入する。これにより、イジェクトシャフト８２は、後側軸受け部８６及び前側軸受け部８７に移動自在に支持されるとともに、コイルバネ８１により後側に付勢される。
【００３６】
保持板２１を、ネジ３２ａ〜３２ｃにより、ディスクトレイ１７に固定すると、押え片９０により、切欠き８７ａからイジェクトシャフト８２が抜け出ないようになる。
【００３７】
次に、ディスク装置２の作用について説明する。ディスク４を装填するときには、トレイユニット５を引出し位置まで引き出す。チャッキングヘッド２８にディスク４を装着してから、フロントベゼル６を押圧すると、トレイユニット５は図４及び図５に示す格納位置に向けて移動する。
【００３８】
トレイユニット５が格納位置に移動する前に、図９に示すように、連動板７６の当接部７６ａが、ケース本体７に設けられたロックピン５３に当接して、連動板７６はＢ方向に回転する。連動板７６が押圧位置まで回転すると、コイルバネ６３に抗して移動板６１がロック可能位置まで移動する。この移動によって、可動鉄芯７３がプランジャ本体７２に向かってＣ方向に移動し、吸着軸７３ｂの端がプランジャ本体７２で吸着保持される。可動鉄芯７３がプランジャ本体７２で吸着保持されると、ロック板５１は、ねじりバネ５２によりロック位置まで回転する。なお、図９においては、図面を簡略化するため、コイルバネ７７の図示を省略している。
【００３９】
トレイユニット５が格納位置まで移動すると、図５に示すように、ケース本体７に設けられたロックピン５３が、ロック板５１のロック部５１ａを乗り越える。これにより、ロックピン５３は、ロック部５１ａでロックされるから、トレイユニット５は、格納位置に保持される。
【００４０】
また、格納位置の手前からイジェクトシャフト８２の後端がケース本体７の後側内壁に当接する。これによって、イジェクトシャフト８２は、後側軸受け部８６及び前側軸受け部８７で支持されて、コイルバネ８１を圧縮しながら前方に移動する。この移動によってコイルバネ８１が蓄勢される。
【００４１】
トレイユニット５が格納位置に移動すると、スピンドルモータ２６が回転する。このスピンドルモータ２６の回転によりターンテーブル２７が回転し、ターンテーブル２７にセットされたディスク４が回転する。ディスク４の回転中に、ピックアップヘッド１８は、ディスク４の半径方向に移動しながら、ディスク４にデータを記録／再生する。
【００４２】
トレイユニット５を引出し位置に引き出すときは、フロントベゼル６に設けられたイジェクトボタン６ａを押圧する。イジェクトボタン６ａを押圧すると、ディスクトレイ１７に設けられた駆動制御基板にイジェクト信号が入力される。この駆動制御基板は、電磁プランジャ６２のコイル部７１に電流を一定時間供給する。図１０に示すように、コイル部７１に電流が供給されると、コイル部７１の磁界によってプランジャ本体７２の吸着力が弱められるため、吸着軸７３ｂの吸着力が小さくなる。これにより、コイルバネ６３によって可動鉄芯７３が移動板６１とともに、図１０においてＤ方向へ移動する。移動板６１は、Ｄ方向に移動するとロック板５１の当接部５１ｂに当接し、ロック板５１はＥ方向に回転する。ロック板５１がロック解除位置まで回転すると、ロック部５１ａとロックピン５３との係合が解除されて、トレイユニット５のロックが解除される。
【００４３】
トレイユニット５のロックが解除されると、イジェクトシャフト８２は、後側軸受け部８６及び前側軸受け部８７で支持されて、蓄勢されたコイルバネ８１の付勢により後方に移動し、ケース本体７の後側内壁を押すから、トレイユニット５は引出し位置に向けてイジェクトされる。トレイイジェクト機構４３によってトレイユニット５がケース９から１０ｍｍ程度突出した状態となっているから、フロントベゼル６を指でつまんで、トレイユニット５を図１及び図２に示す引出し位置まで引き出すことができる。
【００４４】
ディスク装置２に振動等が加わった場合に、イジェクトシャフト８２に切欠き８７ａから抜け出る方向の力が作用するが、イジェクトシャフト８２が押え片９０に押さえられるから、イジェクトシャフト８２が切欠き８７ａから抜け出ることがない。
【００４５】
また、押え片９０は、折り曲げ加工により形成されているから、平らな部分よりも剛性が高い。これにより、保持板２１を金属製薄板により構成した場合にも、イジェクトシャフト８２によって押え片９０が変形することがないから、イジェクトシャフト８２が切欠き８７ａから抜け出ることを確実に防止することができる。また、特別に押え片を設けることなく、従来から存在する保持板２１に押え片を形成したから、部品点数や作業工程が増えることがなく、安価に実施することができる。
【００４６】
なお、上記実施形態では、押え片はイジェクトシャフトに非接触としたが、押え片を常にイジェクトシャフトに接触させてもよい。また、押え片を前側軸受け部の切欠きの真下に配してもよい。さらに、上記実施形態では、前側軸受け部の切欠きを上下方向に開口したが、横方向に開口してもよい。
【００４７】
また、上記実施形態では、後側軸受け部の軸孔を四角形としたが、円または楕円でもよい。
【００４８】
さらに、上記実施形態では、ノートパソコンに内蔵するディスク装置について説明したが、外付けタイプのディスク装置にも、本発明を利用することができる。
【図面の簡単な説明】
【００４９】
【図１】本発明のディスク装置を備えたノート型パソコンの外観図である。
【図２】上カバーを取り外した状態でトレイユニットを引き出したときのディスク装置を示す斜視図である。
【図３】トレイユニットを示す分解斜視図である。
【図４】トレイユニットが格納位置にあるときのディスク装置を示す斜視図である。
【図５】ケース本体とディスクトレイとロック機構とロック解除機構とイジェクト機構とを示す底面図である。
【図６】ディスクトレイとロック機構とロック解除機構とイジェクト機構とを示す分解斜視図である。
【図７】（Ａ）はイジェクトシャフトを軸受け部に挿通する前、（Ｂ）はイジェクトシャフトを軸受け部に挿通した後の側面断面図である。
【図８】ディスクトレイとイジェクト機構と保持板とを示す斜視図である。
【図９】トレイユニットを格納位置に向けて移動したときのディスクトレイとロック機構とロック解除機構とイジェクト機構と連動板とを示す底面図である。
【図１０】トレイユニットが引出し位置に向けてイジェクトされた状態のディスクトレイとロック機構とロック解除機構とイジェクト機構とを示す底面図である。
【符号の説明】
【００５０】
２  ディスク装置
５  トレイユニット
１７  ディスクトレイ
１８  ピックアップヘッド
１９  ディスク駆動部
２１  保持板
４１  ロック機構
４３  トレイイジェクト機構
８１  コイルバネ
８２  イジェクトシャフト
８３  バネ受け片
８６  後側軸受け部（第１軸受け部）
８７  前側軸受け部（第２軸受け部）
８７ａ  切欠き
９０  押え片
【図１】
2010108535.tif 000003
【図２】
2010108535.tif 000004
【図３】
2010108535.tif 000005
【図４】
2010108535.tif 000006
【図５】
2010108535.tif 000007
【図６】
2010108535.tif 000008
【図７】
2010108535.tif 000009
【図８】
2010108535.tif 000010
【図９】
2010108535.tif 000011
【図１０】
2010108535.tif 000012